(57)【要約】【課題】スクリーンセーバを用いた省電力化よりもさらに省電力化が図れる映像表示制御システム及び映像表示制御方法を提供する。【解決手段】カメラ４は監視領域において人物７を検知することでＶＭＤ検出信号Ｓ２を出力する。制御機器２は、カメラ４からのＶＭＤ検出信号Ｓ２を受信すると、液晶モニタ５へバックライトＯＮコマンドＣＭ−ＯＮを送信する。液晶モニタ５は制御機器２からのバックライトＯＮコマンドＣＭ−ＯＮを受信すると、バックライト５４を点灯させる。カメラ４は人物７を検出している間、所定周期でＶＭＤ検出信号Ｓ２を出力し続ける。制御機器２はＶＭＤ検出信号Ｓ２を受信してから一定時間経過する前に次のＶＭＤ検出信号Ｓ２を受信できなければ、液晶モニタ５にバックライトＯＦＦコマンドＣＭ−ＯＦＦを送信する。液晶モニタ５は制御機器２から送信されたバックライトＯＦＦコマンドＣＭ−ＯＦＦを受信すると、バックライト５４を消灯させる。【選択図】図２
2010283441.tif 000002
【特許請求の範囲】
【請求項１】
動きのある被写体を検出することによりカメラから送信されてくる動き検出コマンドを受信し、この動き検出コマンドに応じて表示オンコマンドを送信する制御機器と、
前記制御機器から送信された前記表示オンコマンドを受信したときに、前記カメラからの映像信号を表示可能状態とするモニタと、
を備えた映像表示制御システム。
【請求項２】
前記制御機器は、前記カメラからの映像信号を前記モニタに出力する映像切替部を有している請求項１に記載の映像表示制御システム。
【請求項３】
前記モニタは液晶モニタであり、前記制御機器から送信された前記表示オンコマンドを受信したときに、前記カメラからの映像信号を表示可能状態とするために前記液晶モニタを構成するバックライトをオンとする請求項１又は請求項２に記載の映像表示制御システム。
【請求項４】
動きのある被写体を検出することによりカメラから送信されてくる動き検出コマンドを受信し、この動き検出コマンドに応じて表示オンコマンドを送信するコマンド送信ステップと、
前記制御機器から送信された前記表示オンコマンドを受信したときに、前記カメラからの映像信号を表示可能状態とする表示可能状態移行ステップと、
を備えた映像表示制御方法。
【発明の詳細な説明】
【技術分野】
【０００１】
本発明は、監視システムに用いて好適な映像表示制御システム及び映像表示制御方法に関する。
【背景技術】
【０００２】
監視システムは、一般的に、複数のカメラと、各カメラからの映像を記録するレコーダと、各カメラからの映像を表示するモニタとから構成される。
【０００３】
監視システムは、常に稼働状態になることから、省電力化を図ることが必要である。監視システムで省電力化を図ったものとして、特許文献１で開示された監視カメラシステムが知られている。この特許文献１で開示された監視カメラシステムは、監視対象を撮影するカメラと、前記カメラが取得した前記監視対象の映像を受信する映像受信装置と、受信した前記映像を表示する表示装置と、前記表示装置の焼き付き防止のためのスクリーンセーバとを備える監視カメラシステムにおいて、前記映像受信装置は、受信した前記監視対象の受信映像の変化を検知する動体検知処理部を有し、前記動体検知処理部により、前記監視対象に変化がないことを検出した場合だけ、前記スクリーンセーバを起動する。このように、動体検知結果が監視映像に変化が無い場合にだけ、焼き付き防止のためのスクリーンセーバを起動するので、スクリーンセーバが動作している間、電力消費が低く抑えられる。
【先行技術文献】
【特許文献】
【０００４】
【特許文献１】特開２００８−１３６１２９号公報
【発明の概要】
【発明が解決しようとする課題】
【０００５】
しかしながら、特許文献１に記載された監視カメラシステムでは、表示装置側（映像受信装置）で動体検知を行っている為、カメラの台数が多くなるにしたがって、フレームメモリの容量を増やさなければならないという問題があった。また、監視カメラシステムのさまざまな用途に応じて、きめこまやかに対応した省電力化が図れないという問題があった。
【０００６】
本発明は、表示装置側でのフレームメモリが必要なく、監視カメラシステムのさまざまな用途に応じて、きめこまやかに対応した省電力化を図ることができる映像表示制御システム及び映像表示制御方法を提供することを目的とする。
【課題を解決するための手段】
【０００７】
本発明の映像表示制御システムは、動きのある被写体を検出することによりカメラから送信されてくる動き検出コマンドを受信し、この動き検出コマンドに応じて表示オンコマンドを送信する制御機器と、前記制御機器から送信された前記表示オンコマンドを受信したときに、前記カメラからの映像信号を表示可能状態とするモニタと、を備えた。
【０００８】
上記構成によれば、動きのある被写体を検出したときに、モニタが映像信号を表示可能な状態になる。すなわち、動きのある被写体を検出したときのみモニタが表示可能になるので、スクリーンセーバを用いた省電力化よりもさらに省電力化が図れる。
【０００９】
上記構成において、前記制御機器は、前記カメラからの映像信号を前記モニタに出力する映像切替部を有している。
【００１０】
上記構成によれば、任意のカメラの映像信号を、任意のモニタに出力することができる。
【００１１】
上記構成において、前記モニタは液晶モニタであり、前記制御機器から送信された前記表示オンコマンドを受信したときに、前記カメラからの映像信号を表示可能状態とするために前記液晶モニタを構成するバックライトをオンとする。
【００１２】
上記構成によれば、モニタが液晶モニタであり、表示オンコマンドを受信していない間、バックライトをオフとするので、スクリーンセーバを用いた省電力化よりもさらに省電力化が図れる。
【００１３】
本発明の映像表示制御方法は、動きのある被写体を検出することによりカメラから送信されてくる動き検出コマンドを受信し、この動き検出コマンドに応じて表示オンコマンドを送信するコマンド送信ステップと、前記制御機器から送信された前記表示オンコマンドを受信したときに、前記カメラからの映像信号を表示可能状態とする表示可能状態移行ステップと、を備えた。
【００１４】
上記方法によれば、動きのある被写体を検出したときに、モニタが映像信号を表示可能な状態になる。すなわち、動きのある被写体を検出したときのみモニタが表示可能になるので、スクリーンセーバを用いた省電力化よりもさらに省電力化が図れる。
【発明の効果】
【００１５】
本発明は、スクリーンセーバを用いた省電力化よりもさらに省電力化を図ることができる。
【図面の簡単な説明】
【００１６】
【図１】本発明の実施の形態１に係る映像表示制御システムの概略構成を示すブロック図
【図２】図１の映像表示制御システムの制御機器の概略構成を示すブロック図
【図３】図１の映像表示制御システムのモニタの概略構成を示すブロック図
【図４】図１の映像表示制御システムの動作を説明するための図
【図５】本発明の実施の形態２に係る映像表示制御システムの概略構成を示すブロック図
【図６】本発明の実施の形態３に係る映像表示制御システムの概略構成を示すブロック図
【図７】本発明の実施の形態４に係る映像表示制御システムの概略構成を示すブロック図
【図８】本発明の実施の形態５に係る映像表示制御システムの概略構成を示すブロック図
【図９】本発明の実施の形態６に係る映像表示制御システムの概略構成を示すブロック図
【発明を実施するための形態】
【００１７】
以下、本発明を実施するための好適な実施の形態について、図面を参照して詳細に説明する。
【００１８】
（実施の形態１）
図１は、本発明の実施の形態１に係る映像表示制御システムの概略構成を示すブロック図である。同図において、本実施の形態の映像表示制御システム１は、例えば監視システムに適用したものであり、制御機器２と、コントローラ３と、カメラ４と、液晶モニタ（モニタ）５とを備えて構成される。カメラ４及び液晶モニタ５は、実際にはそれぞれ複数台設けられるが、図１ではそれぞれを１台示している。
【００１９】
カメラ４は、撮像した動画像をアナログ映像信号又はデジタル映像信号（以下、“映像信号Ｓ１”と呼ぶ）として出力する。また、カメラ４は、自身の監視領域において人物等の動体を検知することでＶＭＤ（Video Motion Detector）検出信号Ｓ２を出力する。例えば、監視領域である部屋に人物７が入室したときに、その人物７を検知してＶＭＤ検出信号Ｓ２を出力する。カメラ４は、動体を検知している間、一定周期で繰り返しＶＭＤ検出信号Ｓ２を出力する。
【００２０】
図２は、制御機器２の概略構成を示すブロック図である。同図において、制御機器２は、ＣＰＵ（Central Processing Unit）２１と、入出力接続テーブル２２と、ＶＭＤ検出信号受信部２３と、映像切替部２４と、コマンド処理部２５と、コマンド送信部２６と、各部を接続するバスライン２７とを備えて構成される。ＣＰＵ２１は、制御機器２の各部を制御するものであり、図示せぬＲＯＭ等の不揮発性メモリに格納されたプログラムに従って動作する。入出力接続テーブル２２は、カメラ４と液晶モニタ５の接続関係を示すテーブルである。操作者がコントローラ３を操作してカメラ４と液晶モニタ５の選択を行った際に、その接続関係が入出力接続テーブル２２に記録される。カメラ４と液晶モニタ５の選択を行う毎にテーブル内容が更新される。
【００２１】
ＶＭＤ検出信号受信部２３は、カメラ４から出力されるＶＭＤ検出信号Ｓ２を受信する。映像切替部２４は映像の切替えを行うものであり、操作者が選択したカメラ４と液晶モニタ５とを接続する。図１及び図２では＃１のカメラ４と＃１の液晶モニタ５とが選択されており、＃１のカメラ４からの映像信号Ｓ１が、＃１の液晶モニタ５へ送られる。カメラ４と液晶モニタ５の選択は、上述したようにコントローラ３の操作によって行われる。
【００２２】
コマンド処理部２５は、コントローラ３からのカメラ選択、モニタ選択等の各種コマンドを受付けて、ＣＰＵ２１の処理に利用可能な形式のデータに変換してＣＰＵ２１に与える。コマンド送信部２６は、操作者が選択した液晶モニタ５に対してバックライトＯＮ／ＯＦＦコマンドＣＭを送信する。コマンド送信部２６は、ＶＭＤ検出信号受信部２３がカメラ４からのＶＭＤ検出信号Ｓ２を受信した場合に、ＣＰＵ２１の制御によってバックライトＯＮコマンドＣＭ−ＯＮを送信する。また、コマンド送信部２６は、ＶＭＤ検出信号受信部２３がカメラ４からのＶＭＤ検出信号Ｓ２を受信しなくなった場合に、ＣＰＵ２１の制御によってバックライトＯＦＦコマンドＣＭ−ＯＦＦを送信する。この場合、ＣＰＵ２１は、ＶＭＤ検出信号Ｓ２の受信が行われてから一定時間内に次のＶＭＤ検出信号Ｓ２の受信が行われない場合に、バックライトＯＦＦコマンドＣＭ−ＯＦＦを送信するよう制御する。また、コマンド送信部２６は、コントローラ３の操作によってカメラ選択が行われた際に、ＣＰＵ２１の制御によって、数秒間だけバックライトを点灯させるバックライトＯＮコマンドＣＭ−ＯＮを送信する。すなわち、カメラ選択がスムーズに行われるように、液晶モニタ５のバックライトを数秒間だけ点灯させる。
【００２３】
コントローラ３は、ジョイスティック３１を有し、操作者によるジョイスティック３１の操作に応じて、上述したカメラ選択、モニタ選択等の各種コマンドを出力する。液晶モニタ５は、入力された映像信号Ｓ１を表示し、またバックライトＯＮ／ＯＦＦコマンドＣＭの入力に基づき、自身のバックライトを点灯／消灯する。すなわち、バックライトＯＮコマンドＣＭ−ＯＮが入力された場合にはバックライトを点灯し、バックライトＯＦＦコマンドＣＭ−ＯＦＦが入力された場合にはバックライトを消灯する。
【００２４】
図３は、液晶モニタ５の概略構成を示すブロック図である。同図において、液晶モニタ５は、ＬＣＤパネル５１と、コマンド処理部５２と、バックライトＯＮ／ＯＦＦ制御部５３と、バックライト５４とを備えている。コマンド処理部５２は、入力されたコマンドを処理し、バックライトＯＮコマンドＣＭ−ＯＮ又はバックライトＯＦＦコマンドＣＭ−ＯＦＦをバックライトＯＮ／ＯＦＦ制御部５３に入力する。バックライトＯＮ／ＯＦＦ制御部５３は、ＬＣＤパネル５１に設けられたバックライト５４の点灯／消灯を制御する。すなわち、コマンド処理部５２からバックライトＯＮコマンドＣＭ−ＯＮが入力された場合はバックライト５４を点灯させ、バックライトＯＦＦコマンドＣＭ−ＯＦＦが入力された場合はバックライト５４を消灯させる。
【００２５】
図４は、本実施の形態の映像表示制御システム１の動作を説明するための図である。
（１）まず操作者がコントローラ３を操作してカメラ映像を表示させる液晶モニタ５を複数の液晶モニタ５の中から１つ選択する。このとき＃１の液晶モニタ５を選択したとすると、コントローラ３から＃１の液晶モニタ５を選択するコマンドが制御機器２に発行される。
【００２６】
（２）次いで、操作者がコントローラ３を操作して複数のカメラ４の中から１つ選択する。このとき＃１のカメラ４を選択したとすると、コントローラ３から＃１のカメラ４を選択するコマンドが制御機器２に発行される。制御機器２は、＃１のカメラ４を選択するコマンドを受けると、＃１の液晶モニタ５のバックライト５４を数秒間点灯させ、＃１のカメラ４の映像を＃１の液晶モニタ５に映し出す。
【００２７】
（３）その後、＃１のカメラ４が監視領域内で人物７を検知すると、ＶＭＤ検出信号Ｓ２を出力する。制御機器２は、＃１のカメラ４からのＶＭＤ検出信号Ｓ２を受信すると、入出力接続テーブル２２から＃１のカメラ４の映像が＃１の液晶モニタ５に出力されていることがわかるので、＃１の液晶モニタ５にバックライトＯＮコマンドＣＭ−ＯＮを送信する。＃１の液晶モニタ５は、制御機器２からのバックライトＯＮコマンドＣＭ−ＯＮを受信すると、自身のバックライト５４を点灯させる。＃１のカメラ４は、監視領域内で人物７を検知し続けている間、制御機器２に所定周期でＶＭＤ検出信号Ｓ２を送信する。
【００２８】
（４）＃１のカメラ４は、監視領域内で人物７を検知しなくなると、ＶＭＤ検出信号Ｓ２の送信をやめる。制御機器２は、ＶＭＤ検出信号Ｓ２を受信してから一定時間（ＶＭＤ検出信号Ｓ２を送信する時間間隔よりも長い時間）経過する前に次のＶＭＤ検出信号Ｓ２を受信できなければ、＃１の液晶モニタ５にバックライトＯＦＦコマンドＣＭ−ＯＦＦを送信する。＃１の液晶モニタ５は、制御機器２からのバックライトＯＦＦコマンドＣＭ−ＯＦＦを受信すると、自身のバックライト５４を消灯させる。すなわち、＃１のカメラ４が人物７を検出しなくなると、＃１の液晶モニタ５は自身のバックライト５４を消灯させる。
【００２９】
このように本実施の形態の映像表示制御システム１によれば、操作者がコントローラ３を操作して複数の液晶モニタ５のなかから所望の液晶モニタ５を選択すると共に、複数のカメラ４のなかから所望のカメラ４を選択した後、選択されたカメラ４が自身の監視領域において人物７を検知してＶＭＤ検出信号Ｓ２を出力すると、制御機器２は、選択された液晶モニタ５へバックライトＯＮコマンドＣＭ−ＯＮを送信する。選択された液晶モニタ５は、制御機器２からのバックライトＯＮコマンドＣＭ−ＯＮを受信すると、バックライト５４を点灯させる。選択されたカメラ４は、人物７を検出している間、所定周期でＶＭＤ検出信号Ｓ２を出力し続ける。制御機器２は、ＶＭＤ検出信号Ｓ２を受信してから一定時間経過する前に次のＶＭＤ検出信号Ｓ２を受信できなければ、選択された液晶モニタ５にバックライトＯＦＦコマンドＣＭ−ＯＦＦを送信する。選択された液晶モニタ５は、制御機器２から送信されたバックライトＯＦＦコマンドＣＭ−ＯＦＦを受信すると、バックライト５４を消灯させる。このように、接続されるカメラの台数が多くなってもフレームメモリを増加させることなく、省電力化を図ることができる。
【００３０】
（実施の形態２）
図５は、本発明の実施の形態２に係る映像表示制御システム１０の概略構成を示すブロック図である。同図において、本実施の形態の映像表示制御システム１０は、４台のカメラ４−１〜４−４のそれぞれの映像を１台の液晶モニタ５に映し出すための４分割装置１１を有している。
【００３１】
上述した実施の形態１の映像表示制御システム１は、カメラ選択操作時を除き、液晶モニタ５のバックライト５４を消灯させておき、カメラ４からの映像表示に動きがあったときに（すなわち、監視領域に人物が入ってきたときに）、液晶モニタ５のバックライト５４を点灯させる機能を有したが、本実施の形態の映像表示制御システム１０は、１台の液晶モニタ５を４分割表示させる場合に、その全ての映像表示に動きがなくなったときに（すなわち、監視領域から人物がいなくなったときに）、液晶モニタ５のバックライト５４を消灯させる機能を有する。
【００３２】
制御機器２ＢのＣＰＵ２１Ｂは、入出力接続テーブル２２により４台のカメラ４−１〜４−４の映像が液晶モニタ５に表示されることを予め認識している。ＣＰＵ２Ｂは、４台のカメラ４−１〜４−４の全てからＶＭＤ検出信号Ｓ２が出力されなくなったら、コマンド送信部２６からバックライトＯＦＦコマンドＣＭ−ＯＦＦを液晶モニタ５に発行する。これにより、液晶モニタ５のバックライト５４が消灯する。そして、４台のカメラ４−１〜４−４のうち、少なくともいずれか１つからＶＭＤ検出信号Ｓ２が出力されれば、コマンド送信部２６からバックライトＯＮコマンドＣＭ−ＯＮを液晶モニタ５に発行する。これにより、液晶モニタ５のバックライト５４が点灯する。
【００３３】
このように本実施の形態の映像表示制御システム１０によれば、４台のカメラ４−１〜４−４の全てからＶＭＤ検出信号Ｓ２が出力されなくなったときに、液晶モニタ５のバックライト５４を消灯し、いずれか１つからでもＶＭＤ検出信号Ｓ２が出力されると、液晶モニタ５のバックライト５４を点灯するようにしたので、多画面の分割表示の全てのカメラ映像に動きがなくなったときに液晶モニタ５のバックライトを消灯する為、監視カメラシステムとしてきめこまやかな省電力化が図れる。
【００３４】
（実施の形態３）
図６は、本発明の実施の形態３に係る映像表示制御システム１２の概略構成を示すブロック図である。同図において、本実施の形態の映像表示制御システム１２は、４台のカメラ４−１〜４−４のそれぞれの映像を順番に且つ繰り返し１台の液晶モニタ５に映し出すモニタシーケンス機能を有すると共に、モニタシーケンスしている全てのカメラ４−１〜４−４の映像表示に動きがなくなったときに（すなわち、監視領域から人物がいなくなったときに）、液晶モニタ５のバックライト５４を消灯する機能を有する。
【００３５】
制御機器２ＣのＣＰＵ２１Ｃは、入出力接続テーブル２２により４台のカメラ４−１〜４−４の映像を液晶モニタ５上でモニタシーケンスしていることを予め認識している。ＣＰＵ２Ｃは、４台のカメラ４−１〜４−４の全てからＶＭＤ検出信号Ｓ２が出力されなくなったら、コマンド送信部２６からバックライトＯＦＦコマンドＣＭ−ＯＦＦを液晶モニタ５に発行する。これにより、液晶モニタ５のバックライト５４が消灯する。そして、４台のカメラ４−１〜４−４のうち、少なくともいずれか１つからＶＭＤ検出信号Ｓ２が出力されれば、コマンド送信部２６からバックライトＯＮコマンドＣＭ−ＯＮを液晶モニタ５に発行する。これにより、液晶モニタ５のバックライト５４が点灯する。
【００３６】
このように本実施の形態の映像表示制御システム１２によれば、４台のカメラ４−１〜４−４の全てからＶＭＤ検出信号Ｓ２が出力されなくなったときに、液晶モニタ５のバックライト５４を消灯し、４台のカメラ４−１〜４−４のうち、いずれか１つからでもＶＭＤ検出信号Ｓ２が出力されると、液晶モニタ５のバックライト５４を点灯するようにしたので、モニタシーケンスしている全てのカメラ映像に動きがなくなったときに液晶モニタ５のバックライトを消灯する為、監視カメラシステムとしてきめこまやかな省電力化が図れる。
【００３７】
（実施の形態４）
図７は、本発明の実施の形態４に係る映像表示制御システム１３の概略構成を示すブロック図である。同図において、本実施の形態の映像表示制御システム１３は、レコーダ１４で録画しているカメラ４の映像表示に動きがなくなったときに（すなわち、監視領域に人物がいなくなったときに）、当該カメラ４の映像を表示している液晶モニタ５のバックライト５４を消灯し、レコーダ１４で録画していないカメラ４の映像表示に動きがなくなっても（すなわち、監視領域から人物がいなくなっても）、当該カメラ４の映像を表示している液晶モニタ５のバックライト５４は消灯しない機能を有する。
【００３８】
制御機器２ＤのＣＰＵ２１Ｄは、入出力接続テーブル２２により＃２のカメラ４−２のループスルー出力がレコーダ１４に接続されて録画されていること、及び＃１のカメラ４−１の映像がレコーダ１４には入力されてないことを予め認識している。また、入出力接続テーブル２２により＃１のカメラ４−１の映像が＃１の液晶モニタ５−１に出力され、＃２のカメラ４−２の映像が＃２の液晶モニタ５−２に出力されていることも認識している。ＣＰＵ２１Ｄは、＃２のカメラ４−２からＶＭＤ検出信号Ｓ２が出力されなくなったときに、コマンド送信部２６からバックライトＯＦＦコマンドＣＭ−ＯＦＦを＃２の液晶モニタ５−２に発行する。これにより、＃２の液晶モニタ５のバックライト５４が消灯する。そして、カメラ４−２からＶＭＤ検出信号Ｓ２が出力されると、コマンド送信部２６からバックライトＯＮコマンドＣＭ−ＯＮを＃２の液晶モニタ５−２に発行する。これにより、＃２の液晶モニタ５のバックライト５４が点灯する。また、ＣＰＵ２１Ｄは、＃１のカメラ４−１からＶＭＤ検出信号Ｓ２が出力されなくなっても、＃１のカメラ４−１の映像がレコーダ１４に入力されていないので、バックライトＯＦＦコマンドＣＭ−ＯＦＦの発行はせず、＃１の液晶モニタ５−１のバックライト５４を、通常点灯状態のままにする。
【００３９】
このように本実施の形態の映像表示制御システム１３によれば、レコーダ１４で録画している＃２のカメラ４−２からＶＭＤ検出信号Ｓ２が出力されなくなったときに、＃２のカメラ４−２の映像を表示している＃２の液晶モニタ５−２のバックライト５４を消灯し、レコーダ１４で録画していない＃１のカメラ４−１からＶＭＤ検出信号Ｓ２が出力されなくなっても＃１のカメラ４−１の映像を表示している＃１の液晶モニタ５−１のバックライト５４は消灯しないようにしたので、レコーダ１４にカメラの映像を録画していて、かつカメラの映像に動きがなくなったときに液晶モニタ５のバックライトを消灯する為、監視カメラシステムとしてきめこまやかな省電力化が図れる。また、複数の液晶モニタ５が設置されている場合には、監視者はバックライトが消灯されている液晶モニタ５の映像は、レコーダに録画されていると容易に認識することができる。
【００４０】
（実施の形態５）
図８は、本発明の実施の形態５に係る映像表示制御システム１５の概略構成を示すブロック図である。同図において、本実施の形態の映像表示制御システム１５は、同じ画角を表示している液晶モニタ５が複数ある場合、１台の液晶モニタ５のみバックライト５４を点灯し、他の液晶モニタ５のバックライト５４は消灯しておく。そして、複数のカメラ４のいずれかの映像表示に動きがあったときに（すなわち、監視領域に人物が入ってきたときに）、他の液晶モニタ５のバックライト５４も点灯させる機能を有する。
【００４１】
制御機器２ＥのＣＰＵ２１Ｅは、画角管理テーブル２８に予め＃１のカメラ４−１と＃２のカメラ４−２とが同じ被写体を撮影していることを設定する。したがって、制御機器２ＥのＣＰＵ２１Ｅは、入出力接続テーブル２２と画角管理テーブル２８により＃１のカメラ４−１と＃２のカメラ４−２とが同じ被写体を撮影していて、＃１のカメラ４−１の映像を＃１の液晶モニタ５−１に映して、＃２のカメラ４−２の映像を＃２の液晶モニタ５−２に映していることを予め認識している。ＣＰＵ２１Ｅは、＃１のカメラ４−１、＃２のカメラ４−２のそれぞれからＶＭＤ検出信号Ｓ２が出力されなくなったら、コマンド送信部２６からバックライトＯＦＦコマンドＣＭ−ＯＦＦを＃２の液晶モニタ５−２に発行する。これにより、＃２の液晶モニタ５−２のバックライト５４が消灯する。その後、＃１のカメラ４−１と＃２のカメラ４−２のいずれかからＶＭＤ検出信号Ｓ２が出力されると、コマンド送信部２６からバックライトＯＮコマンドＣＭ−ＯＮを＃２の液晶モニタ５−２に発行する。これにより、＃２の液晶モニタ５−２のバックライト５４が点灯する。
【００４２】
このように本実施の形態の映像表示制御システム１５によれば、＃１の液晶モニタ５−１及び＃２の液晶モニタ５−２が同じ画角を表示している場合、＃１のカメラ４−１、＃２のカメラ４−２のそれぞれからＶＭＤ検出信号Ｓ２が出力されなくなったときに、＃２の液晶モニタ５−２のバックライト５４を消灯させるようにしたので、同じ被写体を撮影している複数のカメラの映像を異なるモニタに出力している場合、動きがないときには一方のモニタのバックライトを消灯することで、監視カメラシステムとしてきめこまやかな省電力化を図ることができる。
【００４３】
（実施の形態６）
図９は、本発明の実施の形態６に係る映像表示制御システム１６の概略構成を示すブロック図である。同図において、本実施の形態の映像表示制御システム１６は、液晶モニタ５に写しているカメラ４の状態を、その状態を示す信号Ｓ２´をカメラ状態受信部２３Ｆで受信することにより取得し、スケジュールで起動されたプリセットシーケンスやオートパン、自動追尾など、指定されたモードで動き出したものがある場合に、モニタ５のバックライト５４を点灯させる機能を有する。
【００４４】
制御機器２ＦのＣＰＵ２１Ｆは、入出力接続テーブル２２により液晶モニタ５がカメラ４の映像を表示していることを予め認識している。ＣＰＵ２１Ｆは、カメラ４から該カメラ４の状態を示す信号Ｓ２´に含まれるＶＭＤ検出信号Ｓ２が出力されなくなったら、コマンド送信部２６からバックライトＯＦＦコマンドＣＭ−ＯＦＦを液晶モニタ５に発行する。これにより、液晶モニタ５のバックライト５４が消灯する。その後、カメラ４は、スケジュールで設定されたオートパンの動作を開始する。このとき、カメラ４はＣＰＵ２１Ｆにオートパン状態になったことを信号Ｓ２´により通知する。ＣＰＵ２１Ｆは、カメラ４がオートパンを開始したことを知り、コマンド送信部２６からバックライトＯＮコマンドＣＭ−ＯＮを液晶モニタ５に発行する。これにより、液晶モニタ５のバックライト５４が点灯する。
【００４５】
このように本実施の形態の映像表示制御システム１６によれば、カメラ４から該カメラ４の状態を示す信号Ｓ２´に含まれるＶＭＤ検出信号Ｓ２が出力されなくなると、液晶モニタ５のバックライト５４を消灯させ、その後、カメラ４がスケジュールで設定されたオートパンの動作を開始すると、液晶モニタ５のバックライト５４を点灯させるようにしたので、指定されたモードで動き出している場合、ＶＭＤ検出信号Ｓ２が出力されなくなるが、それでも液晶モニタ５のバックライトを点灯させることができ、監視カメラシステムとしてきめこまやかな省電力化が図れるとともに、自動的に省電力化を停止することができ、監視者にとって監視し易くすることができる。
【００４６】
なお、液晶モニタ５のバックライト５４を制御するためのトリガとして、カメラ４のＶＭＤ検出信号を用いることで、上述した実施の形態１〜６のような様々な態様をとることができるが、単に、監視領域に人物７が入っていなければ、液晶モニタ５のバックライト５４を消灯させておき、監視領域に人物７が入ってきたときに液晶モニタ５のバックライト５４を点灯させるようにすることも可能である。このとき、液晶モニタ５のバックライト５４を制御するためのトリガとして、例えば監視領域のドアの開閉アラームが好適である。
【産業上の利用可能性】
【００４７】
本発明は、スクリーンセーバを用いた省電力化よりもさらに省電力化を図ることができるといった効果を有し、監視システムなどへの適用が可能である。
【符号の説明】
【００４８】
１、１０、１２、１３、１５、１６  映像表示制御システム
２、２Ｂ、２Ｃ、２Ｄ、２Ｅ、２Ｆ  制御機器
３  コントローラ
４、４−１〜４−４  カメラ
５、５−１、５−２  モニタ
１１  ４分割装置
１４  レコーダ
２１、２１Ｂ、２１Ｃ、２１Ｄ、２１Ｅ、２１Ｆ  ＣＰＵ
２２  入出力接続ケーブル
２３  ＶＭＤ検出信号受信部
２３Ｆ  カメラ状態受信部
２４  映像切替部
２５  コマンド処理部
２６  コマンド送信部
２７  バスライン
３１  ジョイスティック
５１  ＬＣＤパネル
５２  コマンド処理部
５３  バックライトＯＮ／ＯＦＦ制御部
５４  バックライト
【図１】
2010283441.tif 000003
【図２】
2010283441.tif 000004
【図３】
2010283441.tif 000005
【図４】
2010283441.tif 000006
【図５】
2010283441.tif 000007
【図６】
2010283441.tif 000008
【図７】
2010283441.tif 000009
【図８】
2010283441.tif 000010
【図９】
2010283441.tif 000011